(57)【要約】      （修正有）【課題】水栓の吐水口に結合される吐水金具は、流体が通過する流路面積を変化させることなく直流と泡沫の切換えができるうえ、しかもコンパクトに形成する。【解決手段】吐水金具Ａは水栓１の吐水口５に結合され、内部に通水室１１が形成された第１部材７と、該第１部材７の通水室１１と連通する通水路１５が形成され、該通水路１５で流体を整流化する整流器８と、前記第１部材７に上下移動自在に結合され、前記通水路１５を通過した流体が吐水される開口孔２４が前記整流器８と同一軸線上に形成された第２部材９とを備え、前記整流器８の外周面と第１部材７の内周面との間に導入路２７が形成され、整流器８には通水路１５と導入路２７とを連通する横孔２１が穿設され、第２部材９の開口孔２４と導入路２７との間には外気を整流器８に供給して流体を泡沫化するためのバイパス路Ｂが形成され、第２部材９の結合位置の調節によりバイパス路Ｂを開閉自在とする。【選択図】  図３
2004197488.tif 000002
【特許請求の範囲】
【請求項１】
水栓の吐水口に結合され、内部に通水室が形成された第１部材と、該第１部材の通水室と連通する通水路が形成され、該通水路で流体を整流化する整流器と、前記第１部材に上下移動自在に結合され、前記通水路を通過した流体が吐水される開口孔が前記整流器と同一軸線上に形成された第２部材とを備え、前記整流器の外周面と第１部材の内周面との間に導入路が形成され、整流器には通水路と導入路とを連通する横孔が穿設され、第２部材の開口孔と導入路との間には外気を整流器に供給して流体を泡沫化するためのバイパス路が形成され、第２部材の第１部材に対する結合位置の調節によりバイパス路を開閉自在とし、バイパス路の閉鎖時及び連通時の何れの状態においても、流体が通過する流路面積は同一となるようにしたことを特徴とする吐水金具。
【請求項２】
前記第１部材は水栓の吐水口に着脱自在に結合したことを特徴とする請求項１記載の吐水金具。
【発明の詳細な説明】
【０００１】
【発明の属する技術分野】
本発明は、水栓の吐水口に結合される吐水金具に関する。
【０００２】
【従来の技術】
従来、一般に流し台や洗面台で使用される水栓は、吐水口に吐水金具が結合され、この吐水金具から直流又は泡沫の流体を吐水していた。しかし、このような吐水金具では、単一の吐水形態でしか吐水させることができないため、使用目的に応じて直流又は泡沫に流体の流路を切換可能とした吐水金具が公知である。（例えば、特許文献１参照）
【０００３】
【特許文献１】
特開平３−８９４０号公報
【０００４】
【発明が解決しようとする課題】
前記吐水金具は、給水圧の高低に応じて吐水金具内部に設けられた減圧板の孔の開度を変えることにより、流体が通過する流路面積を変化させて用途に応じた吐水状態を得ることができるが、流路面積を小さく設定した場合には圧力損失により吐水される流体の流量が変化したり、流体が湯水の場合は温度が変化してしまうことがあった。
【０００５】
この発明は、このような従来の技術に存在する問題点に着目したものであり、その目的は、水栓の吐水口に結合される吐水金具は、流体が通過する流路面積を変化させることなく直流と泡沫の切換えができるうえ、しかもコンパクトに形成することである。
【０００６】
【課題を解決するための手段】
本発明は請求項１では、吐水金具は水栓の吐水口に結合され、内部に通水室が形成された第１部材と、該第１部材の通水室と連通する通水路が形成され、該通水路で流体を整流化する整流器と、前記第１部材に上下移動自在に結合され、前記通水路を通過した流体が吐水される開口孔が前記整流器と同一軸線上に形成された第２部材とを備え、前記整流器の外周面と第１部材の内周面との間に導入路が形成され、整流器には通水路と導入路とを連通する横孔が穿設され、第２部材の開口孔と導入路との間には外気を整流器に供給して流体を泡沫化するためのバイパス路が形成され、第２部材の第１部材に対する結合位置の調節によりバイパス路を開閉自在とし、バイパス路の閉鎖時及び連通時の何れの状態においても、流体が通過する流路面積は同一となるようにしたものである。
【０００７】
請求項２では、前記第１部材は水栓の吐水口に着脱自在に結合したものである。
【０００８】
【発明の実施の形態】
以下に、本発明の実施の形態を図１乃至図４に基づいて詳細に説明する。
図１に示すように、水栓１は湯，水を混合する混合部２が内部に設けられ、該混合部２と連繋したレバー３を上下又は左右に操作することで、流体の流量又は温度が調節されるものであり、調節された流体は、混合部２の下方で回転自在に装着された吐水管４から吐水される。
【０００９】
前記吐水管４の先端には、混合弁２で調節された流体を外部へ吐水するための吐水口５が形成されており、図２に示すように、該吐水口５は下部外周面に雄ねじ部６が形成され、該雄ねじ部６に本発明の吐水金具Ａが結合されるものである。
【００１０】
前記吐水金具Ａは、吐水口５に形成された雄ねじ部６に螺合して結合されるものであり、吐水口５に結合される第１部材７と、該第１部材７の内周側に挿入される整流器８と、第１部材７の外周側に結合される第２部材９とを備えている。
【００１１】
前記第１部材７は、両端を開口して内部が貫通した略円筒形で、流体が通過する通水室１１の略中央には、内部に向けて段部１０が形成されている。前記通水室１１の内周面の一方には雌ねじ部１２が形成され、水密用のシール部材１４を前記段部１０に配置した状態で、雌ねじ部１２を前記吐水口５の雄ねじ部６に螺着することにより、吐水金具Ａは吐水口５に結合される。また、雌ねじ部１２と反対側の外周面には雄ねじ部１３が形成されている。
【００１２】
前記整流器８は略円筒形で外径は前記第１部材７より小径であり、内部に環状の通水路１５が開口して形成されており、該通水路１５には複数枚の整流網１７，多数の小孔１９が穿設された散水板１８，山型形状の網２０が順に挿入されている。整流器８の上部外周面にはフランジ部１６が形成され、該フランジ部１６を前記第１部材７の段部１０に当接させることにより、整流器８は第１部材７に挿入される。この時、第１部材７の内周面と整流器８の外周面との間には環状の導入路２７が形成され、整流器８の通水路１５は、側面に形成された複数個の横孔２１により導入路２７と連通する。
【００１３】
前記第２部材９は、両端を開口して内部が貫通した略円筒形で、流体が通過する通水室２２の底部に、内部に向けて突出した環状の支持部２３と、該支持部２３の内側で流体を外部へ吐水するための開口孔２４とが形成されている。前記支持部２３には水密用のシール部材２６が配置されており、前記通水室２２の内周面には雌ねじ部２５が形成され、該雌ねじ部２５は前記第１部材７の雄ねじ部１３に螺着することにより、第１部材７に結合される。
【００１４】
吐水金具Ａは、第２部材９を回転させることで、第２部材９の第１部材７に対する結合位置が上下に移動し、図２に示すように第２部材９のシール部材２６が整流器８底面に密着している場合は、開口孔２４から導入路２７への通路は遮断される。また、第２部材９を回転させることより第２部材９が下降し、シール部材２６が整流器８底面から離れた場合は、図３に示すように開口孔２４と導入路２７との間に、外気を整流器８に供給して流体を泡沫化するためのバイパス路Ｂが形成されるものである。
【００１５】
図２に示すように、吐水金具Ａは吐水管４先端の吐水口５に形成された雄ねじ部６に結合される。この場合、吐水口５に結合されていた既設の吐水金具を取り外して、本発明の吐水金具Ａを結合することができる。図２では、吐水金具Ａは第２部材９のシール部材２６が整流器８の底面に密着しているため、第２部材９は開口孔２４と導入路２７とを連通するバイパス路Ｂが、シール部材２６により閉鎖されている。従って、水栓１のレバー３を吐水方向に操作すると、流体は吐水管４から吐水口５へ供給され、続いて吐水金具Ａでは第１部材の通水室１１を通過し、整流器８の通水路１５から網２０，散水板１８の小孔１９，整流網１７及び第２部材９の開口孔２４を通過して直流状の流体が供給される。
【００１６】
次に第２部材９を回転させると、図３に示すように第２部材９の雌ねじ部２５と第１部材７の雄ねじ部１３との結合位置が下方へ移動して、第２部材９のシール部材２６は整流器８底面から離れ、シール部材２６と整流器８底面との間で、開口孔２４と導入路２７とがバイパス路Ｂにより連通する。従って、水栓１のレバー３を吐水方向に操作すると、流体は吐水管４から吐水口５へ供給され、続いて吐水金具Ａでは第１部材７の通水室１１を通過し、整流器８の通水路１５から網２０，散水板１８の小孔１９，整流網１７を通過していく。この時、流体は散水板１８の小孔１９を通過する際に増速され、さらに外気がバイパス路Ｂ及び第１部材７と整流器８の間に形成された導入路２７を通り、整流器８の横孔２１から整流器８内に吸い込まれて、流体中に空気が混入して開口孔２４から泡沫状の流体が吐水される。
【００１７】
以上のように本発明の吐水金具は、直流，泡沫の何れの吐水状態においても、流体は吐水管から吐水口へ供給され、続いて吐水金具では第１部材の通水室を通過し、整流器及び第２部材の開口孔を通過して外部へ吐水される。このように、外部に吐水されるまでに流体の通過する流路面積は同一であるので、圧力損失により外部へ吐水される流体の流量又は温度変化を生じることがなく、しかも吐水金具をコンパクトに形成することができるものである。
【００１８】
【発明の効果】
本発明では、吐水金具は水栓の吐水口に結合され、内部に通水室が形成された第１部材と、該第１部材の通水室と連通する通水路が形成され、該通水路で流体を整流化する整流器と、前記第１部材に上下移動自在に結合され、前記通水路を通過した流体が吐水される開口孔が前記整流器と同一軸線上に形成された第２部材とを備え、前記整流器の外周面と第１部材の内周面との間に導入路が形成され、整流器には通水路と導入路とを連通する横孔が穿設され、第２部材の開口孔と導入路との間には外気を整流器に供給して流体を泡沫化するためのバイパス路が形成され、第２部材の第１部材に対する結合位置の調節によりバイパス路を開閉自在とし、バイパス路の閉鎖時及び連通時の何れの状態においても、流体が通過する流路面積は同一となるようにしたので、圧力損失により外部へ吐水される流体の流量又は温度変化を生じることがなく、直流，泡沫の何れの吐水状態においても、安定した湯水を供給することができる。
【００１９】
また、吐水金具は簡略な構造で部品点数が少ないので、容易に組立可能で生産性が向上し、コストダウンを図ることができる。
【図面の簡単な説明】
【図１】本発明の吐水金具を、水栓の吐水管先端の吐水口に結合した状態の説明図である。
【図２】吐水金具の拡大断面図で、直流吐水時である。
【図３】吐水金具の拡大断面図で、泡沫吐水時である。
【図４】吐水金具の分解説明図である。
【符号の説明】
１                      水栓
５                      吐水口
７                      第１部材
８                      整流器
９                      第２部材
１１                    通水室
１５                    通水路
２１                    横孔
２４                    開口孔
２７                    導入路
Ａ                      吐水金具
Ｂ                      バイパス路
【図１】
2004197488.tif 000003
【図２】
2004197488.tif 000004
【図３】
2004197488.tif 000005
【図４】
2004197488.tif 000006